【事件の表示】
　特許第２９５８２６３号「高温再生器」の請求項１に係る特許に対する特許異議の申立てについて、次のとおり決定する。
【結　論】
　訂正を認める。
　特許第２９５８２６３号の請求項１に係る特許を取り消す。
【理　由】
１．手続の経緯
　特許第２９５８２６３号の発明についての出願は、平成７年１０月１９日に出願され、平成１１年７月２３日にその発明について特許の設定登録がなされ、その後、異議申立人ダイキン工業株式会社により特許異議申立がなされ、平成１３年３月７日付け取消理由通知がなされ、その指定期間内である平成１３年５月１５日に特許異議意見書および訂正請求書が提出されたものである。
　
　
２．訂正の適否についての判断
（１）訂正の内容
　特許権者が求めている訂正の内容は、上記訂正請求書に添付された全文訂正明細書に記載された、次のａ．である。
ａ．特許請求の範囲に記載されていた
「【請求項１】 内側に筒状の燃焼室を、外側に液体空間を構成する二重壁構造の炉本体と、
燃焼室の一端側に配置されたバーナと、
燃焼室の上部の上記液体空間内に炉本体の長手方向に沿って配列されて燃焼室内にその他端側で開口する煙管とを備え、
燃焼室内の高温気体と液体空間の液体の間で熱交換を行って加熱する高温再生器において、
燃焼室の他端側の側壁を炉本体と連通する二重壁構造とし、この側壁の上記煙管に対向する位置に開口部を形成し、この開口部を着脱自在に覆う遮蔽部材を取り付けたことを特徴とする高温再生器。」
を、
「【請求項１】 内側に筒状の燃焼室を、外側に液体空間を構成する二重壁構造の炉本体と、
燃焼室の一端側に配置されたバーナと、
燃焼室の上部の上記液体空間内に炉本体の長手方向に沿って配列されて燃焼室内にその他端側で開口する煙管とを備え、
燃焼室内の高温気体と液体空間の液体の間で熱交換を行って加熱する高温再生器において、
燃焼室の他端側の側壁を炉本体と連通する二重壁構造とし、この側壁の上記煙管に対向する位置に開口部を形成し、この開口部を着脱自在に覆う遮蔽部材を取り付け、前記遮蔽部材は前記開口部よりやや大きい板状に形成され、前記開口部を外側から覆っていることを特徴とする高温再生器。」
に訂正する。
　
（２）訂正の目的の適否、新規事項の有無及び拡張・変更の存否
　上記ａの訂正は、特許請求の範囲の減縮および明瞭でない記載の釈明に該当し、願書に添付した明細書及び図面に記載された事項の範囲内においてなされたものであり、また、実質上特許請求の範囲を拡張又は変更するものではない。
　　
　
（３）まとめ
　以上のとおりであるから、上記訂正は、特許法第１２０条の４第２項及び同条第３項において準用する特許法第１２６条第２項から第４項までの規定に適合するので、当該訂正を認める。
　
　
３．本件発明
　したがって、平成１３年５月１５日付けで提出された訂正請求書の請求項１に係る発明（以下、「本件発明」という。）はその特許請求の範囲の請求項１に記載された次の事項により特定されるとおりのものである。
「【請求項１】 内側に筒状の燃焼室を、外側に液体空間を構成する二重壁構造の炉本体と、
燃焼室の一端側に配置されたバーナと、
燃焼室の上部の上記液体空間内に炉本体の長手方向に沿って配列されて燃焼室内にその他端側で開口する煙管とを備え、
燃焼室内の高温気体と液体空間の液体の間で熱交換を行って加熱する高温再生器において、
燃焼室の他端側の側壁を炉本体と連通する二重壁構造とし、この側壁の上記煙管に対向する位置に開口部を形成し、この開口部を着脱自在に覆う遮蔽部材を取り付け、前記遮蔽部材は前記開口部よりやや大きい板状に形成され、前記開口部を外側から覆っていることを特徴とする高温再生器。」
　
　
４．当審が通知した取消理由通知の概要
　当審が通知した取消理由通知では、
・刊行物１：特開昭６３−１６９４５５号公報（異議申立人が提出した
　　　　　　　　　　　　　　　　　　　　　　　　甲第１号証と同じ。）
・刊行物２：特開平６−３１３６５１号公報
を引用し、本件請求項１に係る発明は、刊行物１および２に記載された各発明に基づいて当業者が容易に発明をすることができたものであるから、特許法第２９条第２項の規定により特許をうけることができないものであり、本件請求項１に係る発明の特許は取り消されるべきものである旨が述べられている。
　
　
５．各引用刊行物記載の発明
（１）刊行物１に記載された発明
　当審が通知した取消理由通知で引用した刊行物１には次のａ．〜ｃ．の記載がなされている。
ａ．刊行物１第２ページ左上欄９行〜右上欄１行には、
「以下本発明の一実施例を図に基づき説明する。図は吸収式の冷暖房機に使用されている高温再生器の断面図である。（１）は高温再生器で、熱源となるバ−ナ−（２）と、該バ−ナ−（２）によって形成される火炎（３）の燃焼空間を形成する炉筒（４）と、管板（５）に固定され且つ前記炉筒（４）からの排気ガスの熱を吸収液に伝達する煙管（７）と、水蒸気のみを図示しない凝縮器へ送り込むスチーム・ボックス（８）と、前記煙管（７）からの排気ガスを煙突（９）を介して外へ排出する煙突箱（１０）と、前記炉筒（４）の更に外側から取囲む胴（１１）と、取外し可能な点検孔板（１２）と、もどり室（１３）とから構成している。」と記載されている。
　
ｂ．刊行物１第２ページ右上欄４〜７行には、
「粘稠な水溶液を煙管（７）内の上流から下流へ３００ｍｍの部分（７Ａ）と管板（５）の表面部分（５Ａ）とに点検孔板（１２）を外した穴からスプレーガンで３〜５ｍｍの厚さで吹付塗装する。」と記載されている。
　
ｃ．刊行物１第２ページ左下欄８〜１７行には、
「次に使用時について説明する。高温再生器（１）の使用のためバーナ−（２）が点火されると火炎（３）を形成して燃焼する。すると燃焼によって生ずる高温の排気ガスは炉筒（４）内を通ってもどり室（１３）へ流入し、更に煙管（７）、煙突箱（１０）を介して煙突（９）から外へ排出される。しばらく高温再生器（１）の運転を続けると臭化リチウム液（６）の温度が上昇し、該臭化リチウム液（６）内の水分を水蒸気としてスチーム・ボックス（８）を介して凝縮器へ送り込む。」と記載されている。
　
（２）刊行物２に記載された発明
　当審が通知した取消理由通知で引用した刊行物２には次のｄ．〜ｆ．の記載がなされている。
ｄ．刊行物２第１欄２６〜２８行には、
「ここに提案された再生器は、図５・図６に示したように、器胴１がバーナＢを装着可能な炉２を内蔵し、」と記載されている。　
　
ｅ．刊行物２第３欄５〜２２行には、
「【００１２】上記構成の再生器においては、炉筒２１のバーナ取付口２２にガスバーナ（図示せず）を装着してガスを燃焼させると、火炎が炉２の奥に向かって形成され、発生した高温の燃焼ガスは煙道戻り室３でバーナ取付口２２の側に反転し、煙道４を経由して、煙室６に設置した煙突７から排気される。
【００１３】そして、この燃焼および排気の過程で、溶液入口１１から流入した溶液が加熱され、ここで発生した冷媒蒸気は蒸気入口８１から蒸気室８に流入して蒸気出口８２から吐出し、冷媒の蒸発により濃度の濃くなった溶液が溶液出口１２から吐出するのであるが、炉筒２１の鉛直断面が円形に形成されているため、炉筒２１を囲繞する溶液流通部Ｒ１で加熱された溶液は、速やかに上昇して溶液管５に流入することができる。しかも、溶液管５を設置してある煙道４の幅Ｗ１が炉筒２１の幅Ｗ２より狭くなっていて、中心部の溶液管５にも溶液流通部Ｒ１で加熱された溶液が無理なく流入するので、溶液管が過熱状態になることがない。」と記載されている。
　
ｆ．刊行物２第３欄２８〜３６行には、
「【００１５】　ところで、本発明の再生器においては炉２の構造から、火炎は上記したように炉の奥に向かって形成されるため、最も高温になるのは火炎が直接当たる炉筒２１の後部管板２３である。したがって、溶液はこの後部管板２３と器胴後板１３との間に形成された溶液流通部Ｒ２において最も効果的に加熱され、次いで高温の燃焼ガスが反転する煙道戻り室３に近い溶液管５においてであり、溶液はこの近傍で沸騰し、発生した気泡と共に勢い良く吹き上がる。」と記載されている。　
　
　
６．異議申立の理由についての検討
（１）対比
　刊行物１に記載された発明を、本件発明と対比すると、
刊行物１に記載された発明における
・バ−ナ−（２）、
・煙管（７）、
・高温再生器（１）、
・取外し可能な点検孔板（１２）（刊行物１の上記引用箇所ａ．参照。）
・点検孔板（１２）を外した穴（刊行物１の上記引用箇所ｂ．参照。）
は、本件発明の
・バーナ、
・煙管、
・高温再生器
・遮蔽部材
・開口部
にそれぞれ相当すると認められる。
　また、本件の請求項１には「内側に筒状の燃焼室を、外側に液体空間を構成する二重壁構造の炉本体、」と記載されているが、刊行物１の上記引用箇所ａ．には「燃焼空間を形成する炉筒（４）」あるいは「前記炉筒（４）の更に外側から取囲む胴（１１）」と記載されており、また、吸収式冷凍機の再生器の分野では、溶液が炉筒と胴間の空間にも存在することは、例えば、
　　特開昭６３−２５９３６２号公報（特に第２ページ左下欄１３行〜
　　　　　　　　　　　　　　　　　　右下欄５行参照。）
　　特開平４−７３５６０号公報（特に第２ページ左上欄１０，１１行、
　　　　　　　　　　　　同ページ左下欄１９行〜右下欄１０行参照。）
等にも記載されているように周知の事項にすぎず、上記刊行物１の図面に図示された「臭化リチウム液（６）」が、同刊行物１の「炉筒（４）」と「胴（１１）」の間にも存在していることは自明である。
　
《一致点》
　したがって、両発明は、
「 内側に筒状の燃焼室を、外側に液体空間を構成する二重壁構造の炉本体と、
燃焼室の一端側に配置されたバーナと、
燃焼室の上部の上記液体空間内に炉本体の長手方向に沿って配列されて燃焼室内にその他端側で開口する煙管とを備える高温再生器において、
この側壁の上記煙管に対向する位置に開口部を形成し、この開口部を着脱自在に遮蔽部材を取り付けることを特徴とする高温再生器。」で一致し、以下のＡ〜Ｃの３点で相違する。
《相違点Ａ》
相違点Ａ：本件発明では、「燃焼室内の高温気体と液体空間の液体の間で熱交換を行って加熱する」とされているのに対し、刊行物１には、このように加熱することが明記されていない。この点で両発明は相違している。　
　
《相違点Ｂ》
相違点Ｂ：本件発明では、「燃焼室の他端側の側壁を炉本体と連通する二重壁構造とし、」とされているのに対し、刊行物１には、このような二重壁構造の側壁が明記されていない。この点で両発明は相違している。
　
《相違点Ｃ》
相違点Ｃ：本件発明では、「開口部を覆う蔽部材を取り付け、」および「前記遮蔽部材は前記開口部よりやや大きい板状に形成され、前記開口部を外側から覆っている」とされているのに対し、刊行物１には、このように覆うことが記載されていない。この点で両発明は相違している。　
　　
（２）判断
《相違点Ａについて》
　上記の相違点Ａについて検討すると、刊行物２の上記引用箇所ｅ．には「炉筒２１を囲繞する溶液流通部Ｒ１で加熱された溶液は、」と同様な内容が記載されている。そして、刊行物１に記載された発明の溶液を、この刊行物２の記載のように加熱することは容易であると認められる。
　
《相違点Ｂについて》
　次に、相違点Ｂについて検討すると、刊行物２上記引用箇所ｆ．には
「したがって、溶液はこの後部管板２３と器胴後板１３との間に形成された溶液流通部Ｒ２において最も効果的に加熱され、」と記載されており、しかも、この「溶液流通部Ｒ２」が上記「溶液流通部Ｒ１」と連通していることは、同刊行物２の図１および図４より明白である。そして、このような刊行物２記載の溶液流通部を、刊行物１に記載された発明の高温再生器に採用することは容易であると認められる。
　
《相違点Ｃについて》
　上記の相違点Ｃにおける、本件発明を特定する事項である、「開口部を覆う遮蔽部材を取り付け、」および「前記遮蔽部材は前記開口部よりやや大きい板状に形成され、前記開口部を外側から覆っている」は、周知の技術でしかない。（もし、周知文献として必要であれば、
　　特開平７−２１８０３６号公報（特に第１，７図参照。）
　　特開平２−１９２５５７号公報（特に第１図参照。）
　　特開平１−３１８８６５号公報（特に第１図参照。）
　　特開平１−２５２８７８号公報（特に第１図参照。）
等を参照。）
　したがって、刊行物１に記載された発明の「取外し可能な点検孔板（１２）」を、このような大きさとし、穴（開口部）の外側から覆うようする程度のことは容易に行える範囲内の事項にすぎない。
　
（３）まとめ
　そして、本件発明によってもたらされる効果は、上記刊行物１および２に記載された事項から、当業者が容易に予測できる程度のものであって、格別のものとはいえない。
　したがって、本件発明は、その出願前日本国内または外国において頒布された上記刊行物１および２に記載された各発明に基づいて、その出願前にその発明の属する技術の分野における通常の知識を有する者が容易になし得たものである。
　よって、本件発明は、特許法第２９条第２項の規定により特許を受けることができない。　
　
　
７．むすび
　このように、本件発明についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年９月２７日（２００１．９．２７）
【訂正の要旨】
　　訂正の要旨
　特許権者が求めている訂正の要旨は、上記訂正請求書に添付された全文訂正明細書に記載された、次のａ．である。
ａ．特許請求の範囲に記載されていた
　【請求項１】　内側に筒状の燃焼室を、外側に液体空間を構成する二重壁構造の炉本体と、
燃焼室の一端側に配置されたバーナと、
燃焼室の上部の上記液体空間内に炉本体の長手方向に沿って配列されて燃焼室内にその他端側で開口する煙管とを備え、
燃焼室内の高温気体と液体空間の液体の間で熱交換を行って加熱する高温再生器において、
燃焼室の他端側の側壁を炉本体と連通する二重壁構造とし、この側壁の上記煙管に対向する位置に開口部を形成し、この開口部を着脱自在に覆う遮蔽部材を取り付けたことを特徴とする高温再生器。」
を、
「【請求項１】　内側に筒状の燃焼室を、外側に液体空間を構成する二重壁構造の炉本体と、
燃焼室の一端側に配置されたバーナと、
燃焼室の上部の上記液体空間内に炉本体の長手方向に沿って配列されて燃焼室内にその他端側で開口する煙管とを備え、
燃焼室内の高温気体と液体空間の液体の間で熱交換を行って加熱する高温再生器において、
燃焼室の他端側の側壁を炉本体と連通する二重壁構造とし、この側壁の上記煙管に対向する位置に開口部を形成し、この開口部を着脱自在に覆う遮蔽部材を取り付け、前記遮蔽部材は前記開口部よりやや大きい板状に形成され、前記開口部を外側から覆っていることを特徴とする高温再生器。」
に訂正する。
（５４）【発明の名称】
高温再生器
（５７）【特許請求の範囲】
　【請求項１】　内側に筒状の燃焼室を、外側に液体空間を構成する二重壁構造の炉本体と、
　燃焼室の一端側に配置されたバーナと、
　燃焼室の上部の上記液体空間内に炉本体の長手方向に沿って配列されて燃焼室内にその他端側で開口する煙管とを備え、
　燃焼室内の高温気体と液体空間の液体の間で熱交換を行って加熱する高温再生器において、
　燃焼室の他端側の側壁を炉本体と連通する二重壁構造とし、この側壁の上記煙管に対向する位置に開口部を形成し、この開口部を着脱自在に覆う遮蔽部材を取り付け
、前記遮蔽部材は前記開口部よりやや大きい板状に形成され、前記開口部を外側から覆っている
　【請求項２】　上記開口部の下辺を下側に凸になるように形成したことを特徴とする請求項１に記載の高温再生器。
【発明の詳細な説明】
　【０００１】
　【発明の属する技術分野】
　本発明は、例えば吸収冷凍機等に用いられる高温再生器に関する。
　【０００２】
　【従来の技術】
　図３は、従来の吸収式冷凍機の吸収液の加熱に用いる炉筒煙管式の高温再生器を示すもので、１は内部に円筒状の燃焼室２を構成する炉筒、３は炉筒１の外側を取り囲む外被を形成する缶胴であり、これらは一体に形成された前部壁４とともに内部に液体空間５を有する二重構造の炉本体６を構成する。炉本体６の後部側は耐火性素材から皿状に形成された別体の後部壁７が取り付けられている。
　【０００３】
　図２に示すように、炉筒１は断面がほぼ円形に、缶胴３は上下に長い楕円に形成され、炉筒１は缶胴３に対して下側に偏って配置されている。燃焼室２の天井部分の液体空間５ｃには炉筒１の長手方向に沿って複数の煙管８が配列されており、これらは一端が燃焼室の後部側の後部煙室９に、他端が前部壁４の外に設けられた前部煙室１０にそれぞれ開口している。前部壁４には、燃焼室内に燃焼炎を送るバーナ１１が設けられている。１３は前部煙室１０に設けた煙突である。
　【０００４】
　缶胴３と炉筒１及び前部壁４の間の液体空間５ａ，５ｂはこれらの部分の冷却と熱交換を兼ねたジャケットとなっており、これらと上部の液体空間５ｃは互いに連通している。この液体空間５ａ〜５ｃには、例えば吸収冷凍機との間で液体（吸収液）を授受する配管が接続されている。後部壁７は煙管８の点検・清掃のために取り外し可能な別体とする必要がある。
　【０００５】
　【発明が解決しようとする課題】
　従来の高温再生器においては、比較的大きく、複雑な構造の後部壁７を、成形性や強度が劣る素材から形成しているため、この部分の耐久性、信頼性、コストに問題があった。
　本発明は上述の事情に鑑みなされたもので、後部煙室の断熱材構造の面積を必要最小限に抑え、構造を簡素にして、耐用性、信頼性の高い高温再生器を提供することを目的とする。
　【０００６】
　【課題を解決するための手段】
　請求項１に記載の発明は、内側に筒状の燃焼室を、外側に液体空間を構成する二重壁構造の炉本体と、燃焼室の一端側に配置されたバーナと、燃焼室の上部の上記液体空間内に炉本体の長手方向に沿って配列されて燃焼室内にその他端側で開口する煙管とを備え、燃焼室内の高温気体と液体空間の液体の間で熱交換を行って加熱する高温再生器において、燃焼室の他端側の側壁を炉本体と連通する二重壁構造とし、この側壁の上記煙管に対向する位置に開口部を形成し、この開口部を着脱自在に覆う遮蔽部材を取り付けたことを特徴とする高温再生器である。このような構造によって、他端側の側壁のかなりの部分を炉本体と一体の二重壁構造とし、煙管の点検・清掃のために必要な開口部を最小限の大きさにし、それを覆う通常耐熱性の遮蔽部材を寸法を小さくまた形状を単純にすることができる。
　請求項２に記載の発明は、上記開口部の下辺を下側に凸になるように形成したことを特徴とする請求項１に記載の高温再生器である。これにより、開口部の下側部分の液体空間における滞流が防止され、局所的な過熱による部材の変形や熱交換の阻害及び腐食事故が防止される。
　【０００７】
　【実施例】
　図１及び図２は、本発明の実施例を示すもので、図２は図１のＩ−Ｉ矢視図である。
　これらの図において、図３の従来例と同一の箇所は符号を同じとして説明を省略し、以下、相違する点を説明する。
　炉本体６の前部側の構成は変わりはなく、後部煙室９を囲む部分の構成が変わっている。すなわち、燃焼室２の他端側の後部側壁１４が炉本体６と一体に形成されている。この後部側壁１４も二重壁構造とされ、炉本体６の液体空間５ａと連通する後部液体空間５ｄが形成されている。この後部側壁１４には、上記煙管８に対向する位置に開口部１５が形成され、この開口部１５にはこれを着脱自在に覆う平板状の遮蔽部材１６が適宜の締結手段で取り付けられている。
　【０００８】
　開口部１５は、煙管８の配置に合わせて横長に、かつその下辺が下側に凸になるように五角形に形成されている。この五角形の底部の角度θは、その下側の液体空間において液体が対流により上昇するときにこの箇所で滞流が起きない程度に設定されている。遮蔽部材１６は、断熱性素材から開口部１５よりやや大きい板状に形成されている。炉筒１の天井部１ａは、後部煙室９の天井を形成する。
　【０００９】
　このような高温再生器においては、バーナ１１によって発生した燃焼ガスは、先ず炉筒１において主に輻射伝熱により炉筒周囲の液体空間５ａ，５ｂ，５ｃ，５ｄの液体を加熱した後、後部煙室９を経て煙管８に入り、上部液体空間５ｃの液体を加熱する。これらの液体空間５ａ，５ｂ，５ｃ，５ｄでは対流伝熱によって熱伝達がなされ、加熱された液体は順次上昇し、缶胴３に接続された配管より吸収冷凍機などに送られる。
　【００１０】
　燃焼ガス温度は、燃焼室では約１５００℃の高温であり、後部煙室部で約９００℃、煙管８の出口の前部煙室１０では約２５０℃となる。燃焼ガスは前部煙室１０を経て煙突１３から機外へ排出される。
　【００１１】
　煙管８の点検・清掃の際には、後部側壁１４から締結手段を解除して開口部１５を覆う遮蔽部材１６を取り外して行なう。上述のような構成の高温再生器では、煙管８を清掃することが可能な程度のスペースの開口部１５を形成しているので、遮蔽部材１６を、従来の後部側壁７に比較して小さくかつ簡単な構造とすることができる。従って、この部分の耐用性が高く、製造コストも小さい。また、開口部１５の下側部分を下に凸になるように形成したので、この部分の液体の円滑の流れを確保している。従って、局所的な過熱による部材の変形や熱交換の阻害及び腐食事故が防止され、円滑な操業が行われる。
　【００１２】
　【発明の効果】
　請求項１に記載の発明によれば、煙管の点検・清掃のために必要な開口部を最小限の大きさにしたので、それを覆う通常耐熱性の遮蔽部材の寸法を小さくまた形状を単純にし、その結果、この部分の耐用性及び装置全体の耐用性と信頼性を向上させることができ、また、製造コストも低減させることができた。
　請求項２に記載の発明によれば、上記開口部の下辺を下側に凸になるように形成したことにより、開口部の下側部分の液体空間における滞流が防止され、局所的な過熱による部材の変形や熱交換の阻害及び腐食事故が防止され、装置の円滑な操業を行なうことができる。
【図面の簡単な説明】
　【図１】
　本発明の実施例の高温再生器の概略を示す断面図である。
　【図２】
　図１のＩ−Ｉ矢視図である。
　【図３】
　従来の高温再生器の概略を示す断面図である。
　【符号の説明】
１　炉筒
２　燃焼室
３　缶胴
４　前部壁
５，５ａ，５ｂ，５ｃ，５ｄ　液体空間
６　炉本体
８　煙管
９　後部煙室
１０　前部煙室
１１　バーナ
１４　後部壁
１５　開口部
１６　遮蔽部材